(57)【要約】【課題】底部形成用フィルムの端部が液体収納袋の側部に揃うようにした液体収納袋を提供する。【解決手段】袋用シート材料１１を２つ折りにし、この２つ折りにした辺を１側辺１２とし、２つ折りにされた袋用シート材料１１の表側シート部と裏側シート部との間の所定位置に、上端に折目線が存在するように２つ折りされた底部形成用フィルム２３が介在されてなり、下端辺１３および他側辺１４をヒートシールで閉じるとともに、１側辺１２は上端から適当長さ範囲をヒートシールせずに残し、他の部分をヒートシールして袋本体１５を構成したスタンディングパウチの形態の液体収納袋であって、１側辺１２および他側辺１４の内、少なくとも１側辺１２においては底部形成用フィルム２３の介在部を含み袋本体１５の一側部に底部形成用フィルム２３の一端部が揃うように切除して両側部間における寸法は下部が上部よりも狭く作られている。【選択図】図２
2011006122.tif 000002
【特許請求の範囲】
【請求項１】
袋用シート材料を２つ折りにし、この２つ折りにした辺を１側辺とし、２つ折りにされた袋用シート材料の表側シート部と裏側シート部との間の所定位置に、上端に折目線が存在するように２つ折りされた底部形成用フィルムが介在されてなり、下端辺および他側辺をヒートシールで閉じるとともに、前記１側辺は上端から適当長さ範囲をヒートシールせずに残し、他の部分をヒートシールして袋本体を構成し、袋本体の上端辺において袋本体の中に液体を充填するための充填口を備え、袋本体の中に液体が充填された状態で袋本体の上端辺がヒートシールで閉じられ、前記１側辺におけるヒートシールされていない部分に向って袋本体の上端をカットして液体取り出し口を形成するように構成したスタンディングパウチの形態の液体収納袋であって、前記１側辺および他側辺の内、少なくとも１側辺においては底部形成用フィルムの介在部を含み袋本体の一側部に底部形成用フィルムの一端部が揃うように切除して両側部間における寸法は下部が上部よりも狭く作られていることを特徴とする液体収納袋。
【発明の詳細な説明】
【技術分野】
【０００１】
本発明は、洗剤などの液体を収納する液体収納袋に関するものである。
【背景技術】
【０００２】
従来のこの種液体収納袋としては例えば特許文献１に開示されているように、下端部にマチ状部を設け、側縁及び上端縁を閉塞して内部に底付きの液体収容空間を形成することで、その液体収容空間に液体を収容した状態で自立可能とし、前記上端縁には、一定幅の帯状に封止用重合部を設ける一方、前記液体収容空間を、前記重合部の帯状内の少なくとも片側部分に進出形成させて、その液体収容空間が進出形成された重合部をカットすることで、端部に注ぎ口が形成される液体密封用袋であって、前記重合部に、前記液体収容空間が進出形成された部分とそうでない部分とを分断するＶ字状の切除部が切込み形成されてなるものが知られている。
【０００３】
そして、上記特許文献１に開示されている収納袋から液体を取り出す場合、注ぎ口を有する封止部分を注ぎ口の先端で切り落とし、収納袋を傾けるなどして注ぎ口から収納袋内の液体を取り出すものである。
【０００４】
上記特許文献１に開示されている収納袋から液体を取り出す場合、注ぎ口を有する封止部分を注ぎ口の先端で切り落とし、収納袋を傾けるなどして注ぎ口から収納袋内の液体を取り出すのであるが、収納袋は全周に亘ってヒートシールにより閉じられているため、封止部分を注ぎ口の先端で切り落とし、収納袋を傾けるなどして注ぎ口から収納袋内の液体を取り出すのであって、収納袋内部の液体の量が多い場合は注ぎ口から液体が勢いよく出るが、収納袋内部の液体の量が少なくなると収納袋内部への空気の流入が不足して注ぎ口両側の封止部分近傍で収納袋を形成する側面シートの内面同士が密着した状態、つまり注ぎ口を塞いだ状態に近い状態となり、収納袋を傾けて注ぎ口から収納袋内の液体を取り出そうとしても液体の出が悪く、収納袋内部の液体を完全に取り出すのに時間がかかるという問題がある。
【０００５】
そこで、このような問題を解決するために特許文献２に開示されているような自立可能なスタンディングパウチの形態の収納袋が知られている。
この特許文献２に開示されているスタンディングパウチの形態の収納袋は、袋用シート材料を２つ折りにし、この２つ折りにした辺を１側辺とし、下端辺および他側辺をヒートシールで閉じるとともに、前記１側辺は上端近傍部を残して他の部分をヒートシールして袋本体を構成し、袋本体の上端辺においては前記１側辺における上端近傍部のヒートシールされていない部分近傍を除く位置で袋本体の中に内容物を充填するための充填口を備えるとともに、袋本体の上端には充填口に隣接して前記１側辺における上端近傍部のヒートシールされていない部分側に内容物取り出し口となる部分を残して凹部が形成されており、この凹部に沿うようにヒートシールされており、前記１側辺における上端近傍部のヒートシールされていない部分に対向する凹部のヒートシール部分にカット用手段が形成され、前記袋本体の中に内容物が充填された状態で袋本体の上端辺がヒートシールで閉じられているように構成し、前記カット用手段から前記１側辺における上端近傍部のヒートシールされていない部分に向ってカットし、内容物取り出し口を形成し得るようにしたものである。
【０００６】
この特許文献２に開示されている収納袋の構成により、収納袋から液体を取り出す場合、前記カット用手段から前記１側辺における上端近傍部のヒートシールされていない部分に向ってカット用手段の形成部分より上側をカットし、内容物取り出し口を形成するのであり、その後収納袋を傾けて液体を取り出すとき前記ヒートシールされていない部分側が下に位置し、このヒートシールされていない部分の開口する縁より液体が流れ出ることになる。このとき、ヒートシールされていない部分は袋の表側および裏側のシートの内面同士が密着しにくくなり、内容物がスムーズに流れ出ることになる。
【先行技術文献】
【特許文献】
【０００７】
【特許文献１】特開平１１−７０９４７号公報
【特許文献２】実用新案登録第３１４０１７２号公報
【発明の概要】
【発明が解決しようとする課題】
【０００８】
そこで、上記特許文献２に開示されているような収納袋であって、収納袋がスタンディングパウチの形態である場合、図６に示すように２つ折りにされる袋用シート材料１の内面側所定位置に底部を形成するフィルム２を供給し、かかる状態で図７に示すように袋用シート材料１を２つ折りし、その後所定箇所をヒートシールして収納袋を製造する方法を採用することが考えられるが、底部形成用フィルム２が袋用シート材料１の２つ折り部３よりはみ出した状態で供給されると袋用シート材料１が２つ折りされたときに底部形成用フィルム２の端部も折り曲げられ、袋用シート材料１と底部形成用フィルム２とのヒートシールが正常になされないという問題が生じる。その問題を解決するためには底部形成用フィルム２の端部が２つ折り部３に揃うように底部形成用フィルム２が正確に供給されれば良いが、それを機械的に行なうには非常に高い精度が必要で、実質的に非常に困難であるという問題がある。なお、図６および図７は液体収納袋を同時に２枚平行に製造する説明図である。
【０００９】
本発明の目的は、このような課題を解決するものであり、底部形成用フィルムの端部は袋用シート材料の２つ折りにより折り曲げられる部分が存在することなく、しかも底部形成用フィルムの端部が液体収納袋の側部に揃うようにした液体収納袋を提供することにある。
【課題を解決するための手段】
【００１０】
本発明の請求項１に記載の液体収納袋は、袋用シート材料を２つ折りにし、この２つ折りにした辺を１側辺とし、２つ折りにされた袋用シート材料の表側シート部と裏側シート部との間の所定位置に、上端に折目線が存在するように２つ折りされた底部形成用フィルムが介在されてなり、下端辺および他側辺をヒートシールで閉じるとともに、前記１側辺は上端から適当長さ範囲をヒートシールせずに残し、他の部分をヒートシールして袋本体を構成し、袋本体の上端辺において袋本体の中に液体を充填するための充填口を備え、袋本体の中に液体が充填された状態で袋本体の上端辺がヒートシールで閉じられ、前記１側辺におけるヒートシールされていない部分に向って袋本体の上端をカットして液体取り出し口を形成するように構成したスタンディングパウチの形態の液体収納袋であって、前記１側辺および他側辺の内、少なくとも１側辺においては底部形成用フィルムの介在部を含み袋本体の一側部に底部形成用フィルムの一端部が揃うように切除して両側部間における寸法は下部が上部よりも狭く作られていることを特徴とする。
【発明の効果】
【００１１】
以上のように、本発明の液体収納袋は、袋用シート材料の２つ折りにした少なくとも１側辺において底部形成用フィルムの介在部を含み袋本体の一側部に底部形成用フィルムの一端部が揃うように切除して両側部間における寸法は下部が上部よりも狭く作られていることにより、２つ折りされる袋用シート材料の間に底部形成用フィルムが供給されて液体収納袋が作られたものであっても、前記少なくとも１側辺における底部形成用フィルムの一端部と袋本体の一側部とのヒートシールによる接合部が良好な状態の液体収納袋が得られる。
【図面の簡単な説明】
【００１２】
【図１】本発明の第１の実施の形態の液体収納袋の内容物充填前の状態を示す正面図である。
【図２】同液体収納袋の内容物充填前の状態を示す斜視図である。
【図３】同液体収納袋の内容物充填後の状態を示す正面図である。
【図４】同液体収納袋の製造時の状態を示す説明図である。
【図５】本発明の第２の実施の形態の液体収納袋の内容物充填前の状態を示す正面図である。
【図６】発明が解決しようとする課題を説明するために袋用シート材料に底部形成用フィルムを供給した状態を示す説明図である。
【図７】発明が解決しようとする課題を説明するために袋用シート材料を２つ折りした状態を示す説明図である。
【発明を実施するための形態】
【００１３】
以下、本発明の実施の形態を、図面を用いて具体的に説明する。
先ず、図１〜図４に示す第１の実施の形態の液体収納袋について説明する。
第１の実施の形態の液体収納袋は、基本的には袋用シート材料１１を２つ折りにし、この２つ折りにした辺を１側辺１２とし、下端辺１３および他側辺１４をヒートシールで閉じるとともに、前記１側辺１２は上端から適当長さ範囲をヒートシールせずに残し、他の部分をヒートシールして袋本体１５を構成し、袋本体１５の上端辺１６においては前記１側辺１２におけるヒートシールされていない部分１７の上端から近い部分を除く位置で袋本体１５の中に内容物を充填するための充填口１８を備えるとともに、袋本体１５の上端にはヒートシールされていない部分１７に近接して上端がヒートシールで閉じられる液体取り出し口１９となる部分を備え、この液体取り出し口１９となる部分と前記充填口１８との間にＶ字状の凹部２０が形成されており、この凹部２０に沿うようにヒートシールされており、前記１側辺１２におけるヒートシールされていない部分１７の上端部に対向する凹部２０のヒートシール部分２１にカット用手段としての切り込み部２２が形成され（以上図１，図２参照）、前記袋本体１５の中に液体が充填された状態で図３に示すように袋本体１５の上端辺１６がヒートシールで閉じられているように構成し、前記切り込み部２２から前記１側辺１２におけるヒートシールされていない部分１７に向ってカットし、液体取り出し口１９を形成し得るようにしたものである。
【００１４】
そして、本実施の形態の液体収納袋は、上記構成において、２つ折りにされた袋用シート材料１１の表側シート部と裏側シート部との間の所定位置に、上端に折目線が存在するように２つ折りされた底部形成用フィルム２３が水平状態で介在され、袋用シート材料１１の表側シート部と裏側シート部と底部形成用フィルム２３をヒートシールにて接合させ、スタンディングパウチの形態に作られている。特に、図面に示す実施の形態では袋本体１５の１側辺１２においては上端から少なくともＶ字状の凹部２０の下端とほぼ同高さまでの範囲をヒートシールせずに残し、他の部分がヒートシールされている。なお、図中斜線部はヒートシールである。
【００１５】
このようなスタンディングパウチの形態の液体収納袋を製造する場合、底部形成用フィルム２３は前述した発明が解決しようとする課題の中での説明のように、底部形成用フィルム２３の一端部が２つ折りにした１側辺１２に揃うように底部形成用フィルム２３を袋用シート材料１１の表側シート部と裏側シート部との間に正確に供給するのは困難であることから、底部形成用フィルム２３の端部が２つ折りにした１側辺１２で折り曲げられないように底部形成用フィルム２３の一端部が２つ折りにした１側辺１２から僅かに離れた状態となり、且つ他側辺１４側では底部形成用フィルム２３の他端部が他側辺１４に揃った状態となるように底部形成用フィルム２３を配設してある（図４参照）。かかる状態で底部を含む上記した説明の中での必要な全てのヒートシールを行なうものである。この状態では下端部の底部形成用フィルム２３の一端部は液体収納袋の一側辺１２に揃った状態となっておらず、底部形成用フィルム２３の一端部が袋本体１５の一側辺１２に揃うように一側辺１２の下端部側を切除する。なお、図面に示す実施の形態では他側辺１４の下端部側も一側辺１２と同様に切除している。つまり、図面にも示すように液体収納袋の両側部間における寸法は下部が上部よりも狭く作られている。なお、一側辺１２および他側辺１４の切除部における上記ヒートシールの幅は切除分を考慮して設定されている。すなわち、一側辺１２および他側辺１４の後で切除される部分まではみ出すように予めヒートシールされている。
【００１６】
ところで、以上述べた第１の実施の形態の液体収納袋は下端部側における両側部がカットされているが、他側辺１４側で底部形成用フィルム２３の他端部が他側辺１４に揃った状態となっているので、図５に示す第２の実施の形態のように他側辺１４を必ずしも切除する必要がない。
【産業上の利用可能性】
【００１７】
本発明の液体収納袋は、洗剤などの液体を収納するスタンディングパウチの形態の液体収納袋である。
【符号の説明】
【００１８】
１１    袋用シート材料
１２    １側辺
１３    下端辺
１４    他側辺
１５    袋本体
１６    上端辺
１７    ヒートシールされていない部分
１８    充填口
１９    液体取り出し口
２０    凹部
２１    ヒートシール部分
２２    切り込み部
２３    底部形成用フィルム
【図１】
2011006122.tif 000003
【図２】
2011006122.tif 000004
【図３】
2011006122.tif 000005
【図４】
2011006122.tif 000006
【図５】
2011006122.tif 000007
【図６】
2011006122.tif 000008
【図７】
2011006122.tif 000009